(57)【要約】【課題】  廃プラスチックを材質の種類ごとに高精度に選別できる廃プラスチックの選別処理システムを提供すること。【解決手段】  本システムは、複数種類の材質を含む廃プラスチックから再利用プラスチックを選別する廃プラスチックの選別処理システムであって、材質による波長の吸収度の相違に基づいて再利用プラスチックを選別する光学式選別装置1と、材質による比重の相違に基づいて再利用プラスチックの純度を高める遠心分離機3と、を備え、光学式選別装置1および遠心分離機3を用いて廃プラスチックを処理することにより、再利用プラスチックの少なくとも１種類を種類別の再利用プラスチックとして選別する機能を有する。【選択図】図１
2017170653.tif 000002
【特許請求の範囲】
【請求項１】
複数種類の材質を含む廃プラスチックから再利用プラスチックを選別するための廃プラスチックの選別処理システムであって、
材質による波長の吸収度の相違に基づいて前記再利用プラスチックを選別するための光学式選別装置と、
材質による比重の相違に基づいて前記再利用プラスチックの純度を高めるための遠心分離機と、を備え、
前記光学式選別装置および前記遠心分離機を用いて前記廃プラスチックを処理することにより、前記再利用プラスチックの少なくとも１種類を種類別の再利用プラスチックとして選別する機能を有する、廃プラスチックの選別処理システム。
【請求項２】
前記光学式選別装置により前記廃プラスチックから前記再利用プラスチックの少なくとも１種類を種類別の再利用プラスチックとして選別し、選別された前記種類別の再利用プラスチックの純度を前記遠心分離機により高めるように構成されている、請求項１に記載の廃プラスチックの選別処理システム。
【請求項３】
前記遠心分離機により前記再利用プラスチックの純度を高め、純度が高められた前記再利用プラスチックから前記光学式選別装置により前記再利用プラスチックの少なくとも１種類を種類別の再利用プラスチックとして選別するように構成されている、請求項１に記載の廃プラスチックの選別処理システム。
【請求項４】
前記再利用プラスチックが、ポリエチレンおよびポリプロピレンである、請求項１乃至３のいずれか一項に記載の廃プラスチックの選別処理システム。
【請求項５】
前記光学式選別装置により、さらにポリスチレンを選別するように構成されている、請求項４に記載の廃プラスチックの選別処理システム。
【請求項６】
複数種類の材質を含む廃プラスチックから再利用プラスチックを選別する廃プラスチックの選別処理方法であって、
材質による波長の吸収度の相違に基づいて前記再利用プラスチックを選別する材質選別工程と、
材質による比重の相違に基づいて前記再利用プラスチックの純度を高める遠心分離工程と、を有し、
前記材質選別工程および前記遠心分離工程により、前記再利用プラスチックの少なくとも１種類を種類別の再利用プラスチックとして選別する、廃プラスチックの選別処理方法。
【請求項７】
前記材質選別工程が、前記廃プラスチックから前記再利用プラスチックの少なくとも１種類を種類別の再利用プラスチックとして選別するものであり、
前記遠心分離工程が、前記材質選別工程により選別された前記種類別の再利用プラスチックの純度を高めるものである、請求項６に記載の廃プラスチックの選別処理方法。
【請求項８】
前記遠心分離工程が、前記再利用プラスチックの純度を高めるものであり、
前記材質選別工程が、前記遠心分離工程により純度が高められた前記再利用プラスチックから前記再利用プラスチックの少なくとも１種類を種類別の再利用プラスチックとして選別するものである、請求項６に記載の廃プラスチックの選別処理方法。
【請求項９】
前記再利用プラスチックが、ポリエチレンおよびポリプロピレンである、請求項６乃至８のいずれか一項に記載の廃プラスチックの選別処理方法。
【請求項１０】
前記材質選別工程が、前記廃プラスチックから前記ポリエチレンおよび前記ポリプロピレンが選別されて除去された残留物からさらにポリスチレンを選別することを含む、請求項９に記載の廃プラスチックの選別処理方法。
【発明の詳細な説明】
【技術分野】
【０００１】
本発明は、プラスチック資源ごみを含む廃棄物から、リサイクル用の廃プラスチックを選別するための廃プラスチックの選別処理システムおよび選別処理方法に関する。
【背景技術】
【０００２】
近年、資源の有効活用のため、廃プラスチックのリサイクル処理が行われている。リサイクル処理のために収集された廃プラスチックには、ごみ袋、ペットボトル、トレイ等が含まれており、多くの種類のプラスチックが混在しているほか、紙、金属、砂等の異物が混入している。そのため、リサイクル処理においては、廃プラスチックから異物を除去するとともに、材質毎に選別する必要があり、そのような選別技術の開発が行われている。
【０００３】
例えば、特許文献１には、廃プラスチックをリサイクル処理して再利用するため、揺動式選別機を用いて、廃プラスチックを重量物（固形プラスチック）と小径物（金属片、木屑等）と軽量物（フィルム系プラスチック）に分離することにより、軽量物として、ポリオレフィン（ＰＯ：ポリエチレン（ＰＥ）およびポリプロピレン（ＰＰ））が主であるフィルム系プラスチックおよびトレイ系プラスチックを選別し、重量物・小径物として、ペットボトル等の固形プラスチックや金属等を除去し、さらに風選、磁選、比重分離等を行うことで異物の除去率を高めることが記載されている（段落［００１３］参照）。
【０００４】
さらに、特許文献１では、プラスチックの材質の種類の選別として、燃焼時に塩素ガスを発生する塩素含有プラスチックであるＰＶＣ（ポリ塩化ビニル）やＰＶＤＣ（ポリ塩化ビニリデン）をＰＰから高精度に選別するために、遠心分離機を使用することが記載されている（段落［０００４］、［０００６］参照）。
【０００５】
ここで、遠心分離機は、例えば水と廃プラスチックを投入した容器を回転させて遠心分離することにより、水を媒体として軽比重プラスチックと重比重プラスチックを分離するものであり、比重が０．９程度のＰＰと、比重が１．１ないし１．４程度の塩素含有プラスチックとを効果的に選別することができる。
【０００６】
しかし、近年、資源の有効再利用の観点から、廃プラスチックの材質について単一の種類ごとの選別のニーズが高まってきているところ、例えば特許文献１の選別処理方法では、ＰＰと塩素含有プラスチックとの選別は可能であるが、ポリエチレン系プラスチックであるＰＥとＰＰとの選別は極めて困難もしくは不可能であった。
【先行技術文献】
【特許文献】
【０００７】
【特許文献１】特開２００３−１９１２３８号公報
【発明の概要】
【発明が解決しようとする課題】
【０００８】
本発明は、従来技術の前記課題に鑑みなされたものであり、廃プラスチックを材質の種類ごとに単一種類の再利用プラスチックとして高精度に選別することができ、純度の高い再生プラスチック製品の製造に寄与できる廃プラスチックの選別処理システムおよび選別処理方法を提供することを目的とする。
【課題を解決するための手段】
【０００９】
上記課題を解決するために、本発明の第１の態様は、複数種類の材質を含む廃プラスチックから再利用プラスチックを選別するための廃プラスチックの選別処理システムであって、材質による波長の吸収度の相違に基づいて前記再利用プラスチックを選別するための光学式選別装置と、材質による比重の相違に基づいて前記再利用プラスチックの純度を高めるための遠心分離機と、を備え、前記光学式選別装置および前記遠心分離機を用いて前記廃プラスチックを処理することにより、前記再利用プラスチックの少なくとも１種類を種類別の再利用プラスチックとして選別する機能を有する、ことを特徴とする。
【００１０】
本発明の第２の態様は、第１の態様において、前記光学式選別装置により前記廃プラスチックから前記再利用プラスチックの少なくとも１種類を種類別の再利用プラスチックとして選別し、選別された前記種類別の再利用プラスチックの純度を前記遠心分離機により高めるように構成されている、ことを特徴とする。
【００１１】
本発明の第３の態様は、第１の態様において、前記遠心分離機により前記再利用プラスチックの純度を高め、純度が高められた前記再利用プラスチックから前記光学式選別装置により前記再利用プラスチックの少なくとも１種類を種類別の再利用プラスチックとして選別するように構成されている、ことを特徴とする。
【００１２】
本発明の第４の態様は、第１乃至第３のいずれかの態様において、前記再利用プラスチックが、ポリエチレンおよびポリプロピレンである、ことを特徴とする。
【００１３】
本発明の第５の態様は、第４の態様において、前記光学式選別装置により、さらにポリスチレンを選別するように構成されている、ことを特徴とする。
【００１４】
上記課題を解決するために、本発明の第６の態様は、複数種類の材質を含む廃プラスチックから再利用プラスチックを選別する廃プラスチックの選別処理方法であって、材質による波長の吸収度の相違に基づいて前記再利用プラスチックを選別する材質選別工程と、材質による比重の相違に基づいて前記再利用プラスチックの純度を高める遠心分離工程と、を有し、前記材質選別工程および前記遠心分離工程により、前記再利用プラスチックの少なくとも１種類を種類別の再利用プラスチックとして選別する、ことを特徴とする。
【００１５】
本発明の第７の態様は、第６の態様において、前記材質選別工程が、前記廃プラスチックから前記再利用プラスチックの少なくとも１種類を種類別の再利用プラスチックとして選別するものであり、前記遠心分離工程が、前記材質選別工程により選別された前記種類別の再利用プラスチックの純度を高めるものである、ことを特徴とする。
【００１６】
本発明の第８の態様は、第６の態様において、前記遠心分離工程が、前記再利用プラスチックの純度を高めるものであり、前記材質選別工程が、前記遠心分離工程により純度が高められた前記再利用プラスチックから前記再利用プラスチックの少なくとも１種類を種類別の再利用プラスチックとして選別するものである、ことを特徴とする。
【００１７】
本発明の第９の態様は、第６乃至第８のいずれかの態様において、前記再利用プラスチックが、ポリエチレンおよびポリプロピレンである、ことを特徴とする。
【００１８】
本発明の第１０の態様は、第９の態様において、前記材質選別工程が、前記廃プラスチックから前記ポリエチレンおよび前記ポリプロピレンが選別されて除去された残留物からさらにポリスチレンを選別することを含む、ことを特徴とする。
【発明の効果】
【００１９】
本発明によれば、廃プラスチックを材質の種類ごとに高精度に選別することができ、純度の高い再生プラスチック製品の製造に寄与できる廃プラスチックの選別処理システムおよび選別処理方法を提供することができる。
【図面の簡単な説明】
【００２０】
【図１】本発明に係る廃プラスチックの選別処理システムの第一の実施形態の基本構成を示す図である。
【図２】本発明に係る廃プラスチックの選別処理方法の第一の実施形態におけるＰＰおよびＰＯについて高純度に選別する基本処理手順を示す図である。
【図３】本発明に係る廃プラスチックの選別処理システムの光学式選別機の構成を示す図である。
【図４】本発明に係る廃プラスチックの選別処理方法の第一の実施形態におけるＰＥおよびＰＯについて高純度に選別する基本処理手順を示す図である。
【図５】本発明に係る廃プラスチックの選別処理方法の第一の実施形態におけるＰＰ、ＰＯおよびＰＳについて高純度に選別する基本処理手順を示す図である。
【図６】本発明に係る廃プラスチックの選別処理方法の第一の実施形態におけるＰＥ、ＰＯおよびＰＳについて高純度に選別する基本処理手順を示す図である。
【図７】本発明に係る廃プラスチックの選別処理システムの第二の実施形態の基本構成を示す図である。
【図８】本発明に係る廃プラスチックの選別処理方法の第二の実施形態におけるＰＰまたはＰＥおよびＰＯについて高純度に選別する基本処理手順を示す図である。
【図９】本発明に係る廃プラスチックの選別処理方法の第二の実施形態におけるＰＰまたはＰＥ、ＰＯおよびＰＳについて高純度に選別する基本処理手順を示す図である。
【発明を実施するための形態】
【００２１】
本発明に係る廃プラスチックの選別処理システムおよび方法の第一の実施形態について、以下、図面を参照しつつ説明する。
【００２２】
図１は、本実施形態による選別処理システムの基本構成を示す図である。
【００２３】
本実施形態による廃プラスチックの選別処理システム（以下、「選別処理システム」という。）２０は、複数種類の材質を含む廃プラスチックから再利用プラスチックを選別するものであり、ペットボトルなどの廃プラスチック等を圧縮し梱包したベール品（圧縮梱包体）８を解砕する解砕機５、廃プラスチックから異物を除去するトロンメル６、特定の種類の材質の廃プラスチックの選別を行う光学式選別機１ａ、１ｂ、１ｃ、廃プラスチックを細かな粒子に粉砕する粉砕機２および比重差の異なる廃プラスチックを選別する遠心分離機３を備えている。
【００２４】
図２は、ＰＰについて単一種類の廃プラスチックとして種類別に高純度に選別する基本処理手順である。
【００２５】
以下、選別処理システム２０を利用して、廃プラスチックから、ＰＰを高純度に選別する選別処理システムおよび選別処理方法について、図面に基づき説明する。
【００２６】
選別処理システム２０が備えられている廃棄物処理施設においては、廃プラスチックは、通常、ベール品８等の形態により搬入されるため、ベール品８は、解砕機５により解砕される（図２の工程Ｓ１）。
【００２７】
なお、解砕機５は、特に限定されるものではなく、例えば、ケーシング内に、周囲に軸刃が配設された解砕ロータと、解砕ロータの周囲に固定刃とを備え、ケーシング内に投入されたベール品８を固定刃と軸刃により解砕する構成のものなどが使用される。
【００２８】
異物除去のためのトロンメル６は、回転式篩装置の一種であり、中心軸が水平またはわずかに傾けて設置された円錐形状または円筒形状の篩の内部に処理物を投入し、軸回りに低速回転させて所定の粒径以下の小片などを選別するものであり、解砕機５により解砕されて内容物が取り出された廃プラスチックから、砂等の異物９が選別・除去される（工程Ｓ２）。
【００２９】
トロンメル６により砂等の異物９が除去された廃プラスチックは、手選コンベア７上において作業員による手選により、未破袋品の破袋、および長物、大物その他の異物１０が除去される（工程Ｓ３）。
【００３０】
光学式選別機１ａ、１ｂ、１ｃは、選別対象物に近赤外線を照射し、材質により波長の吸収率が異なるという性質を利用して、材質ごとの選別を行うことが可能な材質選別機であり、図３に示されるように、投入口２１と、搬送コンベア２２と、光源ランプ２３と、検出器２４と、制御盤２５と、エアタンク２６と、選別品コンベア２７と、残留物コンベア２８とを備える。
【００３１】
選別対象品１２は、投入口２１より搬送コンベア２２上に投入され、光源ランプ２３から搬送コンベア２２の幅方向に近赤外線を高速走査により照射して反射した光が検出器２４に入射する。検出器２４に入射した光による検出データは、制御盤２５により演算処理され、反射した光の波長に基づいて選別すべき選別品１３を検出するとともに、選別品１３の位置を検出し、検出された位置情報に基づき、エアタンク２６を作動させて搬送コンベア２２の先端に配設されているエアノズル２９からエアを噴出して選別品１３を選別品コンベア２７上に移載する。
【００３２】
選別品１３が検出されなかった場合には、エアノズル２９からエアが放出されず、選別品１３以外の残留物１４は、搬送コンベア２２の先端から残留物コンベア２８上に自然落下する。
【００３３】
光学式選別機１ａ、１ｂ、１ｃは、選別品に応じた反射光の波長を予め設定することにより、材質ごと、例えば、ＰＥ（ポリエチレン系プラスチック）、ＰＰ（ポリプロピレン系プラスチック）、ＰＳ（ポリスチレン系プラスチック）、ＰＶＣ（ポリ塩化ビニル）、ＰＥＴ（ポリエチレンテレフタレート）、ＥＰＳ（発泡スチロール）を選別することができる。
【００３４】
本実施形態による選別処理システムにおいては、工程Ｓ４において光学式選別機１ａにより、手選により長物等の異物１０が除去された廃プラスチックから、まず、ＰＯ（ＰＰおよびＰＥ）が選別され、ＰＯ以外の廃プラスチック（ＰＳ、ＥＰＳ、ＰＶＣ、ＰＥＴ等）が除去される（工程Ｓ４）。
【００３５】
工程Ｓ４により選別されたＰＯは、光学式選別機１ｂに投入され、選別品をＰＰとして選別することにより、ＰＰとＰＯ（ＰＥが主体）とに選別される（工程Ｓ５）。
【００３６】
遠心分離機３は、材質の比重差を利用して浮力の相違により選別を行う比重選別機の一種であり、遠心力を利用することにより、外乱（形状や気泡等）を除去して高精度に選別品１３を選別できることを特徴としたものである。
【００３７】
工程Ｓ４により、光学式選別機１ａを使用してＰＯ以外の廃プラスチックを除去してＰＯが選別されたが、廃プラスチックの塊などが互いに絡み合うなどして選別されたＰＯ内にまだ少量のＰＯ以外の廃プラスチック（例えばＰＶＣ、ＰＥＴ）が混入している可能性があるため、高純度のＰＯ製品を製造するために、遠心分離機３を利用することとしたものである。
【００３８】
ＰＥおよびＰＰの比重が１未満の０．９ないし０．９９であるのに対して、ＰＶＣ、ＰＥＴ等の比重が１以上の１．１ないし１．４であることから、前記のような特徴を有する遠心分離機３を使用することにより、ＰＥまたはＰＰと、ＰＶＣおよびＰＥＴ等とを効果的に選別することができ、高純度のＰＥまたはＰＰを得ることができる。
【００３９】
ここで、遠心分離機３による選別においては、その選別原理から、選別対象物は、粒径の小さな小片ないし粒子（好ましくは粒径２０ｍｍ以下）に粉砕して投入される必要があるため、遠心分離機３の投入の前処理として、選別対象物の粉砕が行われる。
【００４０】
そこで、本実施形態においては、工程Ｓ５により選別された選別品ＰＰは、粉砕（工程Ｓ７）を実施した後、遠心分離機３により遠心分離（工程Ｓ８）を行い、ＰＰの純度をさらに高める。遠心分離により高純度化されたＰＰは、造粒設備４へ移送されて造粒される（工程Ｓ９）。
【００４１】
なお、一般にＰＥを原料として製造されることが多い袋体などの破砕片等が手選別等により十分除去されておらず、ＰＰに絡み合うなどしていると、工程Ｓ５において選別されたＰＰ中に混入している可能性があるが、ＰＰとＰＥの比重はほぼ同じであるため、遠心分離機３では、ＰＰとＰＥとを選別することは極めて困難または不可能である。このため、本実施形態においては、ＰＰの純度をより高めるために、遠心分離機３への投入前に除袋しておくこととしている（工程Ｓ６）。ただし、上流工程の手選別等において十分な除袋がされていれば、除袋（工程Ｓ６）は省略することができる。
【００４２】
工程Ｓ６により除去された袋体等のＰＥは、工程Ｓ５により選別されたＰＯと合わせて、後記の選別処理等（工程Ｓ１０乃至Ｓ１２）が行われる。
【００４３】
また、工程Ｓ５により選別されたＰＯは、粉砕機２により粉砕（工程Ｓ１０）を実施した後、遠心分離機３により遠心分離（工程Ｓ１１）を行い、ＰＯの純度をさらに高める。遠心分離により高純度化されたＰＯは、造粒設備４へ移送されて造粒される（工程Ｓ１２）。
【００４４】
なお、工程Ｓ１１により選別された高純度ＰＯは、工程Ｓ４により選別されたＰＯ（ＰＰおよびＰＥ）を工程Ｓ５により選別されたものなので、実質的には高純度ＰＥとなっている。
【００４５】
以上のように、本実施形態による廃プラスチックの選別処理システムおよび選別処理方法により、廃プラスチックから、ＰＰとＰＯについて、高純度に選別することができる。
【００４６】
次に、前記とは逆に、選別処理システム２０を利用して、廃プラスチックから、ＰＥを高純度に選別する選別処理方法について説明する。
【００４７】
図４は、ＰＥについて単一種類の廃プラスチックとして種類別に高純度に選別する基本処理手順である。
【００４８】
ＰＥを高純度に選別処理する場合は、工程Ｓ４まではＰＰを高純度に選別処理する場合と同じであり、工程Ｓ５において、光学式選別機１ｂによりＰＥの選別を行う。
【００４９】
工程Ｓ５により選別されたＰＥは、工程Ｓ６にて粉砕された後、工程Ｓ７にて遠心分離によりＰＶＣ、ＰＥＴ等が除去されて高純度ＰＥが選別され、造粒（工程Ｓ８）のために造粒設備４へ移送される。
【００５０】
工程Ｓ５により選別されたＰＯ（ＰＰが主体）は、工程Ｓ９にて粉砕された後、工程Ｓ１０にて遠心分離によりＰＶＣ、ＰＥＴ等が除去されて高純度ＰＰが選別され、造粒（工程Ｓ１１）のために造粒設備４へ移送される。  次に、本実施形態において、ＰＰおよびＰＥの他にＰＳも選別する場合の選別処理方法について、説明する。
【００５１】
図５は、ＰＰおよびＰＯに加えてＰＳも種類別に高純度に選別する場合の基本処理手順である。
【００５２】
以下、図５に基づき、ＰＰと、ＰＯと、ＰＳおよびＥＰＳとを選別する方法について説明するものとし、特に説明しない事項については、矛盾等がない限り、前記のＰＰおよびＰＯを高純度に選別する場合の基本処理手順と同様である。
【００５３】
なお、ＥＰＳは、別称を発泡ポリスチレンといい、気泡を含ませたポリスチレン（約９８％が空気）であり、材質的にはポリスチレン（ＰＳ）であるため、リサイクルに際しては、ＰＳとともに熱により溶解されてインゴットに減容、成形されるため、ＰＳと一体として選別される。
【００５４】
ＰＰ、ＰＯを選別する方法については、前記のＰＰおよびＰＯを高純度に選別する場合と同様である。
【００５５】
ＰＳおよびＥＰＳは、工程Ｓ４により、ＰＯ以外とされて選別された廃プラスチックについて、光学式選別機１ｃにより一体として選別が行われ（工程Ｓ１３）、一体として選別されたＰＳおよびＥＰＳが減容処理（工程Ｓ１４）のために減容設備１５に移送される。
【００５６】
次に、本実施形態において、ＰＥおよびＰＯに加えてＰＳを選別する場合の選別処理方法について、説明する。
【００５７】
図６は、ＰＥ、ＰＯおよびＰＳを種類別に高純度に選別する場合の基本処理手順である。
【００５８】
以下、図６に基づき、ＰＥと、ＰＯと、ＰＳおよびＥＰＳとを選別する方法について説明するものとし、特に説明しない事項については、矛盾等がない限り、前記のＰＰおよびＰＯを高純度に選別する場合の基本処理手順と同様である。
【００５９】
なお、ＰＥおよびＰＯを高純度に選別する場合も、ＰＰおよびＰＯを高純度に選別する場合（図５）と同様に、ＥＰＳは、ＰＳと一体として選別される。
【００６０】
ＰＥ、ＰＯを選別する方法については、前記のＰＥおよびＰＯを高純度に選別する場合（図４）と同様である。
ＰＳおよびＥＰＳは、工程Ｓ４により、ＰＯ以外とされて選別された廃プラスチックについて、光学式選別機１ｃにより一体として選別が行われ（工程Ｓ１２）、一体として選別されたＰＳおよびＥＰＳが減容処理（工程Ｓ１３）のために減容設備１５に移送される。
【００６１】
本発明に係る廃プラスチックの選別処理システムおよび方法の第二の実施形態について、図面を参照しつつ説明する。なお、以下においては、第一の実施形態との相違点を中心に説明することとし、特に説明しない事項については、矛盾がない限り、第一の実施形態と同じである。
【００６２】
図７は、本実施形態による選別処理システムの基本構成を示す図であり、図８は、本実施形態におけるＰＰまたはＰＥについて単一種類の廃プラスチックとして高純度に選別する基本処理手順を示す図である。
【００６３】
本実施形態は、上述した第一の実施形態における光学式選別機１ｂによるＰＥまたはＰＰの選別処理と、遠心分離機３によるＰＥまたはＰＰの遠心分離処理の順序を入れ替えたものである。
【００６４】
第二の実施形態における工程ＳＡ１ないしＳＡ４は、それぞれ第一の実施形態における工程Ｓ１ないしＳ４と同じである（図８および図９並びに図２および図４、図５、図６参照）。
【００６５】
第二の実施形態においては、工程ＳＡ４によりＰＯが選別され、ＰＯ以外の廃プラスチックが除去される。選別されたＰＯは、第一の実施形態と異なり、ＰＰまたはＰＥとＰＯとの選別前に遠心分離によりＰＶＣ、ＰＥＴ等が除去され（工程ＳＡ５およびＳＡ６）、高純度化される。高純度化されたＰＯは、光学式選別機１ｂに投入され、選別品をＰＰまたはＰＥとしてＰＰとＰＯまたはＰＥとＰＯとに選別され（工程ＳＡ７）、高純度ＰＰおよび高純度ＰＯまたは高純度ＰＥおよび高純度ＰＯが得られる。
【００６６】
工程ＳＡ７にて選別されたＰＰおよびＰＯまたはＰＥおよびＰＯは、それぞれ造粒設備４へ移送されて造粒される（工程ＳＡ８およびＳＡ９）。
【００６７】
以上のように、本実施形態による廃プラスチックの選別処理システムおよび選別処理方法により、廃プラスチックから、ＰＰまたはＰＥおよびＰＯについて、高純度に選別することができる。
【００６８】
本実施形態においては、第一の実施形態と異なり、ＰＰとＰＯまたはＰＥとＰＯの選別は、最終工程（工程ＳＡ７）において行われるので、工程ＳＡ７の実行により、同時に高純度化ＰＰおよび高純度化ＰＯ、または高純度化ＰＥおよび高純度化ＰＯが得られる。
【００６９】
次に、本実施形態において、ＰＰおよびＰＥ、ＰＯの他にＰＳも選別する場合の選別処理方法について、説明する。
【００７０】
図９は、ＰＰおよびＰＥ、ＰＯに加えてＰＳも種類別に高純度に選別する場合の基本処理手順である。
【００７１】
以下、図９に基づき、ＰＰ、ＰＥ、ＰＯおよびＰＳを選別する方法について説明するものとし、特に説明しない事項については、矛盾等がない限り、前記のＰＰおよびＰＥ、ＰＯを高純度に選別する場合の基本処理手順と同様である。なお、本実施形態においても、第一の実施形態と同様に、ＥＰＳは、ＰＳと一体として選別される。
【００７２】
ＰＰ、ＰＥ、ＰＯを選別する方法については、前記のＰＰ、ＰＥ、ＰＯを高純度に選別する場合（図８）と同様である。
【００７３】
ＰＳおよびＥＰＳは、工程ＳＡ４により、ＰＯ以外とされて選別された廃プラスチックについて、光学式選別機１ｃにより一体として選別が行われ（工程ＳＡ１０）、一体として選別されたＰＳおよびＥＰＳが減容処理（工程ＳＡ１１）のために減容設備１５に移送される。
【符号の説明】
【００７４】
１ａ、１ｂ、１ｃ  光学式選別機
２  粉砕機
３  遠心分離機
４  造粒設備
５  解砕機
６  トロンメル
７  手選コンベア
８  ベール品
９  砂等の異物
１０  長物等の異物
１１  除袋機
１２  選別対象物
１３  選別品
１４  残留物
１５  減容設備
２０  廃プラスチック選別処理システム
２１  投入口
２２  搬送コンベア
２３  光源ランプ
２４  検出器
２５  制御盤
２６  エアタンク
２７  選別品コンベア
２８  残留物コンベア
２９  エアノズル
【図１】
2017170653.tif 000003
【図２】
2017170653.tif 000004
【図３】
2017170653.tif 000005
【図４】
2017170653.tif 000006
【図５】
2017170653.tif 000007
【図６】
2017170653.tif 000008
【図７】
2017170653.tif 000009
【図８】
2017170653.tif 000010
【図９】
2017170653.tif 000011